(57)【要約】【課題】表示部に表示可能な機能選択ボタンであって、表示部に表示されていない機能選択ボタンを簡易な操作で表示させる。【解決手段】画像形成装置１が有する機能を選択するための機能選択ボタンＢ１１等が各カテゴリーに分けて配列された操作画面Ｄ２の一部の画像だけが表示部４７３に表示されているときに、ユーザーが表示部４７３上側端部の領域ＥＵ１に触れた状態で、表示部４７３下側端部の領域ＥＤ１にタップすると、表示制御部１０２が、タップの回数と同じ単位数分、表示部４７３に表示される操作画面Ｄ２を、機能選択ボタンＢ１等の配列方向の下流側画像にカテゴリー単位で遷移させる。【選択図】図６
2019174854.tif 000002
【特許請求の範囲】
【請求項１】
タッチパネル機能を備える表示部と、
前記表示部の表示制御を行う表示制御部と、
前記表示部に表示されている操作画面に対するタッチ操作を、前記表示部に設けられた前記タッチパネル機能により受け付ける操作受付部と、を備え、
本電子機器が有する機能を選択するための機能選択ボタンが、予め定められた各カテゴリーに分けて、予め定められた一定方向に配列された前記操作画面についてその一部の画像だけが前記表示部に表示されているときに、前記操作受付部が、前記表示部に表示される前記操作画面を前記機能選択ボタンの配列方向の下流側画像に遷移させる第１ユーザー遷移指示を受け付けている状態で、更に、前記操作受付部が、前記遷移させる遷移量の第１ユーザー遷移量指定を受け付けると、
前記表示制御部は、前記第１ユーザー遷移量指定で指定された前記遷移量に応じて、前記表示部に表示させている前記操作画面を、前記配列方向の下流側画像に、前記カテゴリーの単位で遷移させる電子機器。
【請求項２】
前記操作受付部は、前記表示部に表示されている前記操作画面の予め定められた第１領域内で、前記機能選択ボタンが存在しない場所へのユーザーからのタッチを、前記第１ユーザー遷移指示として受け付け、
更に、前記操作受付部は、前記表示部に表示されている前記操作画面における前記第１領域とは異なる予め定められた第２領域で、前記機能選択ボタンが存在しない場所へのユーザーからのタップを、当該タップの回数に応じた前記第１ユーザー遷移量で、前記第１ユーザー遷移量指定として受け付け、
前記操作画面の一部の画像だけが前記表示部に表示されているときに、前記操作受付部が、前記第１ユーザー遷移指示を受け付けている状態で、更に、前記操作受付部が、前記第１ユーザー遷移量指定を受け付けると、
前記表示制御部は、前記タップの回数に応じた前記第１ユーザー遷移量で、前記表示部に表示される前記操作画面を前記配列方向の下流側画像に、前記カテゴリーの単位で遷移させる請求項１に記載の電子機器。
【請求項３】
前記第１領域は、前記表示部に表示されている前記操作画面の前記配列方向の上流側端部に設定され、
前記第２領域は、前記表示部に表示されている前記操作画面の前記配列方向の下流側端部に設定されている請求項２に記載の電子機器。
【請求項４】
前記操作画面の一部の画像だけが前記表示部に表示されているときに、前記操作受付部が、前記表示部に表示される前記操作画面を前記配列方向の上流側画像に遷移させる第２ユーザー遷移指示を受け付けている状態で、更に、前記操作受付部が、前記遷移させる遷移量の第２ユーザー遷移量指定を受け付けると、
前記表示制御部は、前記第２ユーザー遷移量指定で指定された前記遷移量に応じて、前記表示部に表示される前記操作画面を前記配列方向の上流側画像に前記カテゴリーの単位で遷移させる請求項１乃至請求項３のいずれかに記載の電子機器。
【請求項５】
前記操作受付部が前記第２ユーザー遷移指示を受け付ける領域は、前記表示部に表示されている前記操作画面の前記配列方向の下流側端部に設定され、
前記操作受付部が前記第２ユーザー遷移量指定を受け付ける領域は、前記表示部に表示されている前記操作画面の前記配列方向の上流側端部に設定されている請求項４に記載の電子機器。
【請求項６】
請求項１乃至請求項５のいずれかに記載の電子機器と、
記録媒体に画像を形成する画像形成部と、を備えている画像形成装置。
【請求項７】
本画像形成装置は、コピー機能を有し、
前記表示制御部は、コピー機能に属している複数の前記機能選択ボタンが配列された前記操作画面を前記表示部に表示させる請求項６に記載の画像形成装置。
【発明の詳細な説明】
【技術分野】
【０００１】
本発明は、電子機器及び画像形成装置に関し、特に、操作性の向上を図る技術に関する。
【背景技術】
【０００２】
コピー機、ファクシミリ、プリンター、又はこれら機器の複数の機能を兼ね備えた複合機等の電子機器では、その多機能化によって、操作性の更なる向上が求められている。そして、タッチパネル機能を備える表示部を採用し、スワイプやフリックといった操作で操作画面をスクロールさせて、表示部に収まりきらず、隠れている機能選択ボタンを呼び出すようにしたものがある。また、下記の特許文献１には、マルチタッチ入力でスクロール速度を変更することが記載されている。
【先行技術文献】
【特許文献】
【０００３】
【特許文献１】国際公開第２０１４／０１０２９２号
【発明の概要】
【発明が解決しようとする課題】
【０００４】
スワイプやフリックといった操作を行って、操作画面をスクロールさせて、ユーザーの望む機能選択ボタンを呼び出す場合に、当該機能選択ボタンを簡単には表示させることができず、操作が煩雑になり、手間がかかることがある。例えば、操作画面をスクロールで進め過ぎて、当該機能選択ボタンが隠れてしまったために、スクロールで前へ戻したり、或いは、戻し過ぎたために、スクロールで再び先へ進めるといったことが生じ得る。また、操作画面のスクロール中は、ユーザーが望む機能選択ボタンをユーザーが見落としてしまう可能性が高くなる。
【０００５】
上記の特許文献１に記載されているように、スクロール速度を変更して遅くすれば、見落としは減るかもしれないが、速度を落とすための新たな操作が必要になり、手間がかかる。また、スクロール速度を遅くすれば、ユーザーの望む機能選択ボタンを呼び出すまでに要する時間が長くなる。
【０００６】
本発明は、上記の事情に鑑みなされたものであり、表示部に表示可能な機能選択ボタンであって、表示部に表示されていない機能選択ボタンを簡易な操作で表示させることを目的とする。
【課題を解決するための手段】
【０００７】
本発明の一局面に係る電子機器は、タッチパネル機能を備える表示部と、前記表示部の表示制御を行う表示制御部と、前記表示部に表示されている操作画面に対するタッチ操作を、前記表示部に設けられた前記タッチパネル機能により受け付ける操作受付部と、を備え、本電子機器が有する機能を選択するための機能選択ボタンが、予め定められた各カテゴリーに分けて配列された前記操作画面についてその一部の画像だけが前記表示部に表示されているときに、前記操作受付部が、前記表示部に表示される前記操作画面を前記機能選択ボタンの配列方向の下流側画像に遷移させる第１ユーザー遷移指示を受け付けている状態で、更に、前記操作受付部が、前記遷移させる遷移量の第１ユーザー遷移量指定を受け付けると、前記表示制御部は、前記第１ユーザー遷移量指定で指定された前記遷移量に応じて、前記表示部に表示させている前記操作画面を、前記配列方向の下流側画像に、前記カテゴリーの単位で遷移させる。
【０００８】
また、本発明の一局面に係る画像形成装置は、上記電子機器と、記録媒体に画像を形成する画像形成部と、を備えている。
【発明の効果】
【０００９】
本発明によれば、ユーザーは操作画面を遷移させる指示（第１ユーザー遷移指示）及び当該遷移の遷移量を指定（第１ユーザー遷移量指定）して操作画面を遷移させることで、表示部に表示されていない機能選択ボタンを表示させることが可能となるので、当該機能選択ボタンの表示を簡易な操作で行える。また、操作画面はカテゴリー単位で遷移するので、ユーザーの望む機能選択ボタンを迅速に表示することができる。
【図面の簡単な説明】
【００１０】
【図１】本発明の一実施形態に係る電子機器としての画像形成装置の主要内部構成を概略的に示した機能ブロック図である。
【図２】表示部に表示されている操作画面の一例を示した図である。
【図３】操作画面の一例を示した図である。
【図４】表示部に表示されている操作画面の一例を示した図である。
【図５】（Ａ）、（Ｂ）は、操作画面を遷移させるユーザー操作を説明するための説明図である。
【図６】（Ａ）乃至（Ｄ）は、表示部に表示されている操作画面の一例を示した図である。
【図７】（Ａ）乃至（Ｄ）は、表示部に表示されている操作画面の一例を示した図である。
【図８】（Ａ）、（Ｂ）は、操作画面を遷移させるユーザー操作を説明するための説明図である。
【図９】本発明の一実施形態に係る電子機器としての画像形成装置の制御ユニットで行われる処理の一例を示したフローチャートである。
【発明を実施するための形態】
【００１１】
以下、本発明の一実施形態に係る電子機器及び画像形成装置について図面を参照して説明する。図１は、本発明の実施形態に係る電子機器の主要内部構成を概略的に示した機能ブロック図である。
【００１２】
本発明の一実施形態に係る電子機器は、例えば、画像形成装置であって、画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、定着部１３、給紙部１４、ＨＤＤ９２、及び操作部４７を備える。
【００１３】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１４】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００１５】
定着部１３は、熱圧着によりトナー像を記録紙に定着させるものであり、定着処理が施された記録紙は排出トレイに排出される。給紙部１４は、給紙カセットを備える。
【００１６】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネル機能を備えており、操作者は画面表示されるボタンやキーに触れて画像形成装置１を操作することができる。
【００１７】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、表示制御部１０２とを備えている。
【００１８】
制御ユニット１０は、ＨＤＤ（Hard Disk Drive）９２に記憶されている制御プログラムに従った動作により、制御部１００、操作受付部１０１、及び表示制御部１０２として機能するものである。但し、制御部１００等は、制御ユニット１０による制御プログラムに従った動作によらず、それぞれハードウェア回路により構成することも可能である。以下、特に触れない限り、各実施形態について同様である。
【００１９】
制御部１００は、画像形成装置１の全体的な動作制御を司る。制御部１００は、原稿給送部６、原稿読取部５、画像形成部１２、定着部１３、給紙部１４、及び操作部４７と接続され、これら各部の駆動制御等を行う。
【００２０】
操作受付部１０１は、操作部４７を介したユーザーからの操作入力を受け付ける。例えば、操作受付部１０１は、操作部４７が備える表示部４７３に表示されている操作画面に対するタッチ操作を、表示部４７３に設けられたタッチパネル機能により受け付ける。
【００２１】
表示制御部１０２は、表示部４７３の表示制御を行う。例えば、画像形成装置１の電源が投入される、又は、操作受付部１０１が操作部４７に設けられた図略のホームボタンの押下を受け付けると、表示制御部１０２は、初期画面Ｄ１（図２を参照）として登録されているホーム画面を表示部４７３に表示させる。
【００２２】
図２は、表示部４７３に表示される初期画面Ｄ１の一例を示した図である。初期画面Ｄ１は、ホーム画面（画像形成装置１が有する機能を選択するための最も基本となる操作画面）を示し、画像形成装置１が有する機能を選択するための機能選択ボタンＢ１乃至Ｂ６を含んで構成されている。機能選択ボタンＢ１乃至Ｂ６はそれぞれ、「コピー」機能、「送信」機能、「ジョブボックス」機能、「ユーザーボックス」機能、「ファクス」機能（ファクシミリ機能）、及び「外部メモリー」機能を呼び出すための機能選択ボタンである。
【００２３】
例えば、操作受付部１０１が、初期画面Ｄ１に形成されている「コピー」と表示された機能選択ボタンＢ１に対するタップを受け付けると、表示制御部１０２は、コピー機能に属している機能を呼び出すための機能選択ボタンＢ１１乃至Ｂ３０（図３及び図４を参照）が、予め定められた一定方向に配列された操作画面Ｄ２を表示部４７３に表示させる。当該予め定められた一定方向とは、例えば、図３における上から下に向かう方向である。
【００２４】
図３は、コピー機能に属している機能を呼び出すための機能選択ボタンＢ１１乃至Ｂ３０が配列されている操作画面Ｄ２の一例を示した図である。図４は、表示部４７３に表示される操作画面Ｄ２の一例を示した図である。操作画面Ｄ２は表示部４７３に収まりきらないサイズとされている。表示制御部１０２による制御の下、当該操作画面Ｄ２は、その一部ずつの画像が順次表示部４７３に表示される。操作画面Ｄ２は、コピー機能に属している機能を選択するための機能選択ボタンＢ１１乃至Ｂ３０（図３）が各カテゴリー（簡単設定、原稿／用紙／仕上げ、レイアウト／編集、カラー／画質、応用／その他）に分けて配列されている。
【００２５】
機能選択ボタンＢ１５乃至Ｂ１９は、カテゴリー「原稿／用紙／仕上げ」に属し、それぞれ「原稿サイズ」機能、「用紙選択」機能、「原稿サイズ混載」機能、「原稿セット向き」機能、「ソート／仕分け」機能を呼び出すためのボタンである。
【００２６】
機能選択ボタンＢ２０乃至Ｂ２４は、カテゴリー「レイアウト／編集」に属し、機能選択ボタンＢ２５乃至Ｂ２９は、カテゴリー「カラー／画質」に属し、機能選択ボタンＢ３０は、カテゴリー「応用／その他」に属している。
【００２７】
カテゴリー「簡単設定」に属している機能選択ボタンＢ１１乃至Ｂ１４は、使用頻度の高い機能を呼び出すための機能選択ボタンであり、カテゴリー「原稿／用紙／仕上げ」等から抜き出した機能選択ボタンである。機能選択ボタンＢ１１は、カテゴリー「原稿／用紙／仕上げ」に属している機能選択ボタンＢ１６と同じ働きをするボタンであり、同様に、機能選択ボタンＢ１２乃至Ｂ１４はそれぞれ、機能選択ボタンＢ２０，Ｂ２８，Ｂ２４と同じ働きをするボタンである。
【００２８】
次に、操作画面の一部の画像だけが表示部４７３に表示されているときに行われる、操作画面を遷移させるためのユーザー操作と、当該ユーザー操作を受けての表示遷移とを図５乃至図７を参照して説明する。
【００２９】
＜１．操作画面を下流側画像に遷移させる場合＞
＜１−１．ユーザー操作＞
操作受付部１０１は、例えば、図５（Ａ）に示すように、表示部４７３に表示されている操作画面ＤＡの領域ＥＵ１内（上側斜線部）へのユーザーからのタッチを、タッチパネル機能を介して、操作画面ＤＡを機能選択ボタンＢＡ乃至ＢＥの配列方向の下流側画像に遷移させる第１ユーザー遷移指示として受け付ける。ここで、下流とは、例えば当該実施形態においては、上記予め定められた一定方向である上から下に向かう方向における、上方向が上流側、下方向が下流側である。
【００３０】
なお、領域ＥＵ１内に機能選択ボタンが存在する場合、操作受付部１０１は、機能選択ボタンが存在しない場所へのユーザーからのタッチを、タッチパネル機能を介して、上記第１ユーザー遷移指示として受け付けるが、機能選択ボタンが存在する場所へのユーザーからのタッチについては、上記第１ユーザー遷移指示としては受け付けない。
【００３１】
領域ＥＵ１は、特許請求の範囲における予め定められた第１領域の一例であり、上記配列方向の上流側端部に設定されている。なお、ここでは機能選択ボタンＢＡ乃至ＢＥの配列方向が図５（Ａ）における上下方向であるため、図５（Ａ）に示したように、領域ＥＵ１は表示部４７３の上端部に設定されるが、上記配列方向が上下方向ではなく図５（Ａ）における左右方向である場合、領域ＥＵ１は表示部４７３の左端部（又は右端部）に設定される。
【００３２】
また、操作受付部１０１は、例えば、図５（Ａ）に示すように、表示部４７３に表示されている操作画面ＤＡの領域ＥＤ１内（下側斜線部）で、機能選択ボタンＢＡ乃至ＢＥが存在しない場所へのユーザーからのタップを、タッチパネル機能を介して、操作画面ＤＡを下流側画像に遷移させる遷移量の第１ユーザー遷移量指定として受け付ける。なお、当該遷移量はユーザーからのタップ回数に応じて設定される。すなわち、操作受付部１０１は、表示部４７３に表示されている操作画面ＤＡにおける領域ＥＤ１内で、機能選択ボタンが存在しない場所へのユーザーからのタップを、当該タップの回数に応じた図５（Ａ）においては下方向への遷移量で、第１ユーザー遷移量指定として受け付ける。
【００３３】
領域ＥＤ１は、特許請求の範囲における予め定められた第２領域の一例であり、上記配列方向の下流側端部に設定されている。なお、ここでは機能選択ボタンＢＡ乃至ＢＥの配列方向が図５（Ａ）における上下方向であるため、図５（Ａ）に示したように、領域ＥＤ１は表示部４７３の下端部に設定されるが、上記配列方向が上下方向ではなく図５（Ａ）における左右方向である場合、領域ＥＤ１は表示部４７３の右端部（又は左端部）に設定される。
【００３４】
＜１−２．表示遷移＞
操作画面ＤＡの一部の画像だけが表示部４７３に表示されているときに、操作受付部１０１が、上記第１ユーザー遷移指示を受け付けている状態で、更に、操作受付部１０１が、上記第１ユーザー遷移量指定を受け付けると、表示制御部１０２は、ユーザーによるタップの回数に応じて指定された上記第１ユーザー遷移量で、上記配列方向の下流側画像にカテゴリー単位で遷移させる。
【００３５】
従って、ユーザーは操作画面ＤＡの上側（領域ＥＵ１）に触れた状態で、操作画面ＤＡの下側（領域ＥＤ１）をタップすることで、表示部４７３に表示される操作画面ＤＡを下流側画像に遷移させることができる。
【００３６】
＜１−３．表示遷移の具体例＞
例えば、図６（Ａ）に示すように、表示部４７３に操作画面Ｄ２が表示されているときに、ユーザーが操作画面Ｄ２の上側（領域ＥＵ１）に触れた状態で、操作画面Ｄ２の下側（領域ＥＤ１）を１回タップした場合、操作画面Ｄ２は上記カテゴリーの１単位分遷移する。このため、表示部４７３の表示画面は、図６（Ｂ）に示すような表示となる。
【００３７】
また、ユーザーが操作画面Ｄ２の上側（領域ＥＵ１）に触れた状態で、操作画面Ｄ２の下側（領域ＥＤ１）を２回タップ（ダブルタップ）した場合、操作画面Ｄ２は上記カテゴリーの２単位分遷移する。このため、表示部４７３の表示画面は、図６（Ｃ）に示すような表示になる。
【００３８】
また、ユーザーが操作画面Ｄ２の上側（領域ＥＵ１）に触れた状態で、操作画面Ｄ２の下側（領域ＥＤ１）を３回タップした場合、操作画面Ｄ２は上記カテゴリーの３単位分遷移する。このため、表示部４７３の表示画面は、図６（Ｄ）に示すような表示になる。
【００３９】
なお、表示制御部１０２は、スクロールのように、操作画面Ｄ２をスライド移動させて上記表示遷移を完了させてもよいし、瞬時に遷移先の操作画面Ｄ２に表示を切り替えるようにして上記表示遷移を行ってもよい。
【００４０】
＜２．操作画面を上流側画像に遷移させる場合＞
＜２−１．ユーザー操作＞
操作受付部１０１は、例えば、図５（Ｂ）に示すように、表示部４７３に表示されている操作画面ＤＡの領域ＥＤ２内（下側斜線部）で、機能選択ボタンＢＡ乃至ＢＥが存在しない場所へのユーザーからのタッチを、タッチパネル機能を介して、操作画面ＤＡを機能選択ボタンＢＡ乃至ＢＥの配列方向の上流側画像に遷移させる第２ユーザー遷移指示として受け付ける。
【００４１】
また、操作受付部１０１は、例えば、図５（Ｂ）に示すように、表示部４７３に表示されている操作画面ＤＡの領域ＥＵ２内（上側斜線部）で、機能選択ボタンＢＡ乃至ＢＥが存在しない場所へのユーザーからのタップを、タッチパネル機能を介して、操作画面ＤＡを上流側に遷移させる遷移量の第２ユーザー遷移量指定として受け付ける。なお、当該遷移量はユーザーからのタップ回数に応じて設定される。すなわち、操作受付部１０１は、表示部４７３に表示されている操作画面ＤＡにおける領域ＥＵ２内で、機能選択ボタンが存在しない場所へのユーザーからのタップを、当該タップの回数に応じた図５（Ｂ）においては上方向への遷移量で、第２ユーザー遷移量指定として受け付ける。
【００４２】
＜２−２．表示遷移＞
操作画面ＤＡの一部の画像だけが表示部４７３に表示されているときに、操作受付部１０１が、上記第２ユーザー遷移指示を受け付けている状態で、更に、操作受付部１０１が、上記第２ユーザー遷移量指定を受け付けると、表示制御部１０２は、ユーザーによるタップの回数に応じて指定された上記第２ユーザー遷移量で、上記配列方向の上流側画像にカテゴリー単位で遷移させる。
【００４３】
従って、ユーザーは操作画面ＤＡの下側（領域ＥＤ２）に触れた状態で、操作画面ＤＡの上側（領域ＥＵ２）をタップすることで、表示部４７３に表示される操作画面ＤＡを上流側画像に遷移させることができる。
【００４４】
＜２−３．表示遷移の具体例＞
例えば、図７（Ａ）に示すように、表示部４７３に操作画面Ｄ２が表示されているときに、ユーザーが操作画面Ｄ２の下側（領域ＥＤ２）に触れた状態で、操作画面Ｄ２の上側（領域ＥＵ２）を１回タップした場合、操作画面Ｄ２は上記カテゴリーの１単位分遷移する。このため、表示部４７３の表示画面は、図７（Ｂ）に示すような表示となる。
【００４５】
また、操作画面Ｄ２の上側（領域ＥＵ２）を２回タップ（ダブルタップ）した場合、操作画面Ｄ２は上記カテゴリーの２単位分遷移する。このため、表示部４７３の表示画面は、図７（Ｃ）に示すような表示となる。
【００４６】
また、操作画面Ｄ２の上側（領域ＥＵ２）を３回タップした場合、操作画面Ｄ２は上記カテゴリーの３単位分遷移する。このため、表示部４７３の表示画面は、図７（Ｄ）に示すような表示となる。
【００４７】
続いて、領域ＥＤ２（操作受付部１０１が上記第２ユーザー遷移指示を受け付ける領域）と領域ＥＵ１（操作受付部１０１が上記第１ユーザー遷移指示を受け付ける領域）との位置関係、及び領域ＥＵ２（操作受付部１０１が上記第２ユーザー遷移量指定を受け付ける領域）と領域ＥＤ１（操作受付部１０１が上記第１ユーザー遷移量指定を受け付ける領域）との位置関係について、図８を参照して説明する。
【００４８】
領域ＥＤ２は、領域ＥＵ１と、上記配列方向に直交して表示部４７３に表示されている操作画面ＤＡを２等分する中央線ＣＬに対して線対称になるように設定されている。同様に、領域ＥＵ２についても、領域ＥＤ１と、中央線ＣＬに対して線対称になるように設定されている。
【００４９】
これにより、操作画面ＤＡを上流側画像に遷移させるときのユーザー操作は、操作画面ＤＡを下流側画像に遷移させるときのユーザー操作の（中央線ＣＬを介しての）逆の操作となるので、直感的で操作性がよい。
【００５０】
次に、本発明の一実施形態に係る電子機器としての画像形成装置１の制御ユニット１０で行われる処理の一例について、図９に示したフローチャートに基づいて説明する。なお、この処理は、操作画面の一部の画像だけが表示部４７３に表示されているときに行われる処理である。また、ここでは、操作画面Ｄ２（図３及び図４）が表示部４７３に表示されている場合を例にして説明する。
【００５１】
表示制御部１０２は、操作受付部１０１が機能選択ボタンＢ１１乃至Ｂ３０のいずれかに対するタップを受け付けたか否かを判断し（Ｓ１）、操作受付部１０１が機能選択ボタンＢ１１乃至Ｂ３０のいずれかに対するタップを受け付けたと判断した場合（Ｓ１でＹＥＳ）、タップされた機能選択ボタンに対応する操作画面を表示部４７３に表示させる（Ｓ２）。この後、この処理を終了する。例えば、「用紙選択」と表示された機能選択ボタンＢ１がタップされた場合、表示制御部１０２は、使用したい用紙が収容された給紙カセット又は手差しトレイのユーザー選択を可能とする操作画面を表示部４７３に表示させる。
【００５２】
一方、表示制御部１０２は、操作受付部１０１が機能選択ボタンＢ１１乃至Ｂ３０に対するタップを受け付けていないと判断した場合（Ｓ１でＮＯ）、操作受付部１０１が表示部４７３上側端部の領域ＥＵ１（図６（Ａ））に対するタッチを受け付けたか否かを判断する（Ｓ３）。
【００５３】
表示制御部１０２は、操作受付部１０１が領域ＥＵ１に対するタッチを受け付けたと判断した場合（Ｓ３でＹＥＳ）、操作受付部１０１が、表示部４７３下側端部の領域ＥＤ１（図６（Ａ））に対するタップを受け付けたか否かを判断する（Ｓ４）。
【００５４】
表示制御部１０２は、操作受付部１０１が領域ＥＤ１に対するタップを受け付けたと判断した場合（Ｓ４でＹＥＳ）、すなわち、ユーザーが操作画面Ｄ２の上側（領域ＥＵ１）に触れた状態で、操作画面Ｄ２の下側（領域ＥＤ１）をタップした場合は、表示制御部１０２は、操作受付部１０１が受け付けたユーザーからのタップ回数と同じ単位数分、表示部４７３に表示される操作画面Ｄ２を上記配列方向の下流側画像にカテゴリー単位で遷移させ（Ｓ５）、その後、処理はＳ１に戻る。
【００５５】
一方、表示制御部１０２は、操作受付部１０１が領域ＥＤ１に対するタップを受け付けていないと判断した場合（Ｓ４でＮＯ）、操作受付部１０１が領域ＥＵ１に対するタッチを受け付け、当該タッチが継続しているか否かを判断し（Ｓ６）、当該タッチが継続していると判断した場合（Ｓ６でＹＥＳ）、処理はＳ４に戻り、当該タッチが継続していないと判断した場合（Ｓ６でＮＯ）、処理はＳ１に戻る。
【００５６】
また、Ｓ３において、表示制御部１０２は、操作受付部１０１が領域ＥＵ１に対するタッチを受け付けていないと判断した場合（Ｓ３でＮＯ）、操作受付部１０１が、表示部４７３下側端部の領域ＥＤ２（図７（Ａ））に対するタッチを受け付けたか否かを判断する（Ｓ７）。
【００５７】
表示制御部１０２は、操作受付部１０１が領域ＥＤ２に対するタッチを受け付けたと判断した場合（Ｓ７でＹＥＳ）、操作受付部１０１が、表示部４７３上側端部の領域ＥＵ２（図７（Ａ））に対するタップを受け付けたか否かを判断する（Ｓ８）。
【００５８】
表示制御部１０２は、操作受付部１０１が領域ＥＵ２に対するタップを受け付けたと判断した場合（Ｓ８でＹＥＳ）、すなわち、ユーザーが操作画面Ｄ２の下側（領域ＥＤ２）に触れた状態で、操作画面Ｄ２の上側（領域ＥＵ２）をタップした場合は、表示制御部１０２は、操作受付部１０１が受け付けたユーザーからのタップ回数と同じ単位数分、表示部４７３に表示される操作画面Ｄ２を上記配列方向の上流側画像にカテゴリー単位で遷移させ（Ｓ９）、その後、処理はＳ１に戻る。
【００５９】
一方、表示制御部１０２は、操作受付部１０１が領域ＥＵ２に対するタップを受け付けていないと判断した場合（Ｓ８でＮＯ）、操作受付部１０１が領域ＥＤ２に対するタッチを受け付け、当該タッチが継続しているか否かを判断し（Ｓ１０）、当該タッチが継続していると判断した場合（Ｓ１０でＹＥＳ）、処理はＳ８に戻り、当該タッチが継続していないと判断した場合（Ｓ１０でＮＯ）、処理はＳ１に戻る。
【００６０】
上記実施形態によれば、ユーザーは操作画面を遷移させる指示（第１ユーザー遷移指示）及び当該遷移の遷移量を指定（第１ユーザー遷移量指定）することで、操作画面を遷移させることで、表示部４７３に表示されていない機能選択ボタンを呼び出して表示させることが可能となるので、当該機能選択ボタンの表示を簡易な操作で行える。また、操作画面はカテゴリー単位で遷移するので、ユーザーの望む機能選択ボタンを迅速に表示することができる。
【００６１】
本発明は上記実施の形態の構成に限られず種々の変形が可能である。例えば、上記実施形態では、(i)ユーザーが操作画面Ｄ２の上側（領域ＥＵ１）に触れた状態で、操作画面Ｄ２の下側（領域ＥＤ１）をタップしたとき、及び、(ii)ユーザーが操作画面Ｄ２の下側（領域ＥＤ２）に触れた状態で、操作画面Ｄ２の上側（領域ＥＵ２）をタップしたときに、表示制御部１０２が、操作受付部１０１が受け付けたユーザーからのタップ回数と同じ単位数分、表示部４７３に表示される操作画面Ｄ２をカテゴリー単位で遷移させるものとしているが、これに代えて、(i)ユーザーが操作画面Ｄ２の上側（領域ＥＵ１）に触れた後、当該触れた状態が解除された状態で、操作画面Ｄ２の下側（領域ＥＤ１）をタップしたとき、及び、(ii)ユーザーが操作画面Ｄ２の下側（領域ＥＤ２）に触れた後、当該触れた状態が解除された状態で、操作画面Ｄ２の上側（領域ＥＵ２）をタップしたときに、表示制御部１０２が、操作受付部１０１が受け付けたユーザーからのタップ回数と同じ単位数分、表示部４７３に表示される操作画面Ｄ２をカテゴリー単位で遷移させるものとしてもよい。
【００６２】
また、上記実施形態では、本発明に係る電子機器の一実施形態として画像形成装置である複合機を用いて説明しているが、これは一例に過ぎず、コピー機能、プリンター機能、スキャナー機能、ファクシミリ機能を有した他の画像形成装置や、他の電子機器などでもよい。
【００６３】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６４】
１        画像形成装置
１０      制御ユニット
１２      画像形成部
１００    制御部
１０１    操作受付部
１０２    表示制御部
４７３    表示部
【図１】
2019174854.tif 000003
【図２】
2019174854.tif 000004
【図３】
2019174854.tif 000005
【図４】
2019174854.tif 000006
【図５】
2019174854.tif 000007
【図６】
2019174854.tif 000008
【図７】
2019174854.tif 000009
【図８】
2019174854.tif 000010
【図９】
2019174854.tif 000011